(57)【要約】【課題】可搬性に優れた小型の歯科用滅菌装置を提供することを課題とする。【解決手段】歯科用滅菌装置１００は、赤外線を出す光源と、光源から発生された光を集光させるための集光手段２と、光源から発生された光を漏れないように囲む筐体３と、を備え、光を歯科用インスツルメントに照射させることによって歯科用インスツルメントの滅菌を行う。筐体３には、歯科用インスツルメントをこの筐体３内に挿入して光に当てるための挿入孔３ａが形成されている。【選択図】図１
2020065760.tif 000002
【特許請求の範囲】
【請求項１】
赤外線を出す光源と、
前記光源から発生された光を集光させるための集光手段と、
前記光源から発生された光を漏れないように囲む筐体と、を備えて前記光を歯科用インスツルメントに照射させることによって前記歯科用インスツルメントの滅菌を行う歯科用滅菌装置であって、
前記筐体には、前記歯科用インスツルメントを当該筐体内に挿入して前記光に当てるための挿入孔が形成されていることを特徴とする歯科用滅菌装置。
【請求項２】
前記光源としてハロゲンランプを使用することを特徴とする請求項１に記載の歯科用滅菌装置。
【請求項３】
前記筐体は、筒体から成り、
前記光源は、前記筒体の両端部にそれぞれ設けられていることを特徴とする請求項１または請求項２に記載の歯科用滅菌装置。
【請求項４】
前記筐体は、軸方向に延設されて両端部に開口部を有する筒体から成り、
前記両端部の開口部には、前記集光手段を内設した集光手段設置ケース体がそれぞれ連結され、
それぞれの前記集光手段設置ケース体には、前記光源を取り付けたランプ用ケースがそれぞれ設けられ、
前記歯科用インスツルメントは、前記筐体内の内部空間で、それぞれの前記光源からの光によって照射されることを特徴とする請求項１から請求項３のいずれか１項に記載の歯科用滅菌装置。
【請求項５】
前記集光手段は、前記光源からの発生された光を前記筐体内の内部空間の中央部に集光させ、
前記集光手段によって集光された前記光源の集光スポット径は、５ｍｍ〜３０ｍｍであることを特徴とする請求項１から請求項４のいずれか１項に記載の歯科用滅菌装置。
【請求項６】
前記挿入孔は、集光スポットがある位置の外周面に形成されていることを特徴とする請求項１から請求項４のいずれか１項に記載の歯科用滅菌装置。
【請求項７】
前記ランプ用ケースの外側には、ヒートシンクが設けられていることを特徴とする請求項４に記載の歯科用滅菌装置。
【請求項８】
集光手段は、金属製の反射鏡を有していることを特徴とする請求項１から請求項７のいずれか１項に記載の歯科用滅菌装置。
【請求項９】
前記光源の照射時間、または、前記光源に供給する電力を調整する制御手段を備えていることを特徴とする請求項１から請求項８のいずれか１項に記載の歯科用滅菌装置。
【発明の詳細な説明】
【技術分野】
【０００１】
本発明は、歯科用滅菌装置に関する。
【背景技術】
【０００２】
従来、ハロゲンランプを使用して歯科用ドリル等の滅菌を行う装置としては、例えば、特許文献１に記載されている紫外・可視光活性触媒による滅菌システムが知られている。
【０００３】
特許文献１に記載の紫外・可視光活性触媒による滅菌システムは、可視光部分での活性が発現し、かつ紫外光部の活性が劣化しない複合材料を液剤として収容する容器部と、これに光を照射する光照射装置と、を構成要素として有している。複合材料は、複合光触媒粒子であるアパタイトを被覆した二酸化チタン光触媒と過酸化物等を混合した材料から成る。照射用ランプには、水槽の蓋に、青色ＬＥＤ、ハロゲンランプ、ブラックライト、蛍光灯等を取り付けたものが使用されている。
【先行技術文献】
【特許文献】
【０００４】
【特許文献１】特開２００３−３２１３１３号公報（図１）
【発明の概要】
【発明が解決しようとする課題】
【０００５】
しかし、特許文献１に記載の紫外・可視光活性触媒による滅菌システムは、光照射ランプと、滅菌溶液と、滅菌溶液や滅菌する医療用器具を入れるための水槽と、が必要であるので、小型軽量化及び可搬性に欠けるという問題点があった。このため、その滅菌システムは、診療室以外の場所で歯科医療行為を行う在宅訪問医療の場合や、持ち運ぶ場合には不向きのものであった。特に、在宅訪問の歯科医療では、歯科用器具を滅菌する必要があるため、小型化、可搬性及び携帯性が求められていた。
【０００６】
そこで、本発明は、可搬性に優れた小型の歯科用滅菌装置を提供することを課題とする。
【課題を解決するための手段】
【０００７】
前記課題を解決するため、本発明は、赤外線を出す光源と、前記光源から発生された光を集光させるための集光手段と、前記光源から発生された光を漏れないように囲む筐体と、を備えて前記光を歯科用インスツルメントに照射させることによって前記歯科用インスツルメントの滅菌を行う歯科用滅菌装置であって、前記筐体には、前記歯科用インスツルメントを当該筐体内に挿入して前記光に当てるための挿入孔が形成されていることを特徴とする。
【発明の効果】
【０００８】
本発明は、可搬性に優れた小型の歯科用滅菌装置を提供することができる。
【図面の簡単な説明】
【０００９】
【図１】本発明の実施形態に係る歯科用滅菌装置の一例を示す模式図である。
【図２】歯科用滅菌装置の概略側面図である。
【図３】歯科用滅菌装置のブロック図である。
【図４】本発明の実施形態に係る歯科用滅菌装置の第１変形例を示す模式図である。
【図５】本発明の実施形態に係る歯科用滅菌装置の第２変形例を示す模式図である。
【発明を実施するための形態】
【００１０】
まず、図１〜図３を参照して、本発明の実施形態に係る歯科用滅菌装置１００を説明する。
ここで、「歯科用滅菌装置１００」の「滅菌」は、滅菌はもちろんのこと、殺菌、除菌、減菌及び消毒することを含むものとする。
【００１１】
≪歯科用滅菌装置≫
図１に示す歯科用滅菌装置１００は、光（赤外線）を被滅菌対象物４に照射させることによって被滅菌対象物４を滅菌するための乾熱滅菌器（非接触式滅菌器）である。歯科用滅菌装置１００は、滅菌ユニット２００と、制御ユニット３００と、を備えて構成されている。なお、歯科用滅菌装置１００において、滅菌ユニット２００と、制御ユニット３００とは、一体でも、別体でもどちらでもよい。
【００１２】
＜被滅菌対象物＞
なお、歯科用滅菌装置１００によって滅菌する被滅菌対象物４は、特に限定されない。つまり、歯科用滅菌装置１００で滅菌する被滅菌対象物４は、筐体３に形成された挿入孔３ａから内部空間３ｃ内に挿入することが可能なものであれば滅菌することが可能である。以下、歯科用滅菌装置１００で滅菌する被滅菌対象物４の一例として、リーマー、ファイル等の歯科用インスツルメント（歯科用器具）を滅菌する場合を例に挙げて説明する。
【００１３】
被滅菌対象物４（歯科用インスツルメント）は、筐体３内の内部空間３ｃで、それぞれのハロゲンランプ１からの光によって照射されることで滅菌される。例えば、リーマーの場合は、針の先端径が約０．０８ｍｍ〜１．４ｍｍ、針の長さが２１ｍｍ、２５ｍｍあるいは２８ｍｍである。被滅菌対象物４は、例えば、歯牙の根管を拡大させる根管拡大装置に取り付けられ使用させる金属製の根管切削用の工具部４ａと、根管切削用の工具部４ａの上部に取り付けられた樹脂製の保持部材４ｂと、を有している。
【００１４】
＜滅菌ユニット＞
図１に示すように、歯科用滅菌装置１００の滅菌ユニット２００は、ハロゲンランプ１と、集光手段２と、筐体３と、集光手段設置ケース体５と、ランプ用ケース６と、を備えて構成されている。滅菌ユニット２００は、横方向に延設された筒体から成る筐体３の中央部を中心として、ハロゲンランプ１と、集光手段２と、集光手段設置ケース体５と、ランプ用ケース６と、をそれぞれ左右対称に対向配置している。以下、各部材を説明する際には、そのどちらか一方を説明して、他方の説明を適宜省略する。
滅菌ユニット２００は、例えば、歯科診療ユニットの上に載置した制御ユニット３００の上に載せた状態で配置されている。その場合、滅菌ユニット２００と制御ユニット３００との間には、滅菌ユニット２００を保持する支持具（図示省略）が設置されている。滅菌ユニット２００は、歯科治療が行われるチェアサイドに配置される。
【００１５】
＜筐体＞
筐体３は、ハロゲンランプ１から発生された光を漏れないように囲むハウジングである。筐体３は、軸方向に延設されて両端部に開口部３ｂを有する筒体から成る。その筐体３の内部空間３ｃには、空気が入っている。筐体３は、アルミ合金等の金属製の円筒体（図２参照）から成り、内壁面が金メッキ、または、バフ研摩して鏡面仕上げされている。筐体３の両端部の開口部３ｂには、集光手段２を内設した集光手段設置ケース体５がそれぞれ連結されている。筐体３の上面中央部には、被滅菌対象物４を筐体３内に挿入して光に当てるための挿入孔３ａが形成されている。
【００１６】
挿入孔３ａは、集光スポットがある焦点位置の外周面３ｄの上側に形成されている。なお、挿入孔３ａは、被滅菌対象物４の滅菌する部位を筐体３内の内部空間３ｃに挿入することが可能なものであれば、特に形状、大きさは限定されない。例えば、挿入孔３ａは、内径が５ｍｍ〜１５ｍｍの孔から成り、好ましくは、１０ｍｍ程度の円形な孔から成る。かかる構成によれば、挿入孔３ａは、比較的孔径が小さいので、挿入孔３ａから内部空間３ｃ内の赤外線が筐体３外に漏光するのを規制することができる。
【００１７】
＜ハロゲンランプ＞
図１に示すように、ハロゲンランプ１は、投入電力の８５％以上を赤外線に変換、放射する高効率なランプ式放射熱源（電球）である。ハロゲンランプ１は、筐体３の両端部にそれぞれ対向配置された集光手段２の中央部に取り付けられた光源から成る。ハロゲンランプ１は、内部に設けたフィラメントに通電することで、タングステンが白熱し発光する。ハロゲンランプ１は、例えば、径が２８ｍｍの７５Ｗから１００Ｗのハロゲンランプスポットヒーターが使用される。
【００１８】
＜集光手段＞
集光手段２は、ハロゲンランプ１から発生された光を筐体３内の内部空間３ｃの中央部に集光させるためのものである。集光手段２は、反射鏡２１と、光学部材２２と、を備えて構成されている。集光手段２によって集光されたハロゲンランプ１の赤外線の集光スポット径Ｓは、５ｍｍ〜３０ｍｍであって、好ましくは１５ｍｍ〜３０ｍｍ、更に好ましくは２０ｍｍである。このように、集光手段２によって集光スポット径Ｓに集光されたハロゲンランプ１の赤外線は、瞬時に被滅菌対象物４を滅菌するための適宜な温度（例えば、１０００℃以上）に瞬時に加熱することが可能になっている。つまり、一般に滅菌可能といわれている２６０℃以上に瞬時に到達させることができる。集光手段２は、集光手段設置ケース体５を介在して筐体３の開口部３ｂに装着されている。
【００１９】
反射鏡２１は、ハロゲンランプ１から発生された光を集光スポットに集光させるための集光用の凹面鏡形状の反射板である。反射鏡２１は、反射面が鏡面仕上げされた略半球形状の曲面を有する真鍮、あるいは、アルミ、銀、銅等の合金製板材から成る。その反射面は、例えば、金メッキや、バフ研摩等によって鏡面状に形成されている。反射鏡２１は、中央部にソケット７を装着するためのソケット取付孔２１ａを有し、外周端部に光学部材２２が設けられている。
ソケット取付孔２１ａは、ランプ装着部７ｂが挿入配置される孔である。ソケット取付孔２１ａは、例えば、内径が３０ｍｍ程度に形成されている。
光学部材２２は、平板状の透明板材であっても、レンズ機能を有する凸レンズ状のものであってもよい。
【００２０】
図１に示すように、ソケット７は、ハロゲンランプ１を滅菌ユニット２００に取り付けるための部材である。ソケット７は、リード線７１を接続したランプケース装入部７ａと、ハロゲンランプ１を取り付けるためのランプ装着部７ｂと、ランプ用ケース６に取り付けるための鍔部７ｃと、を有している。ソケット７は、絶縁性の樹脂材料によって形成されている。
【００２１】
ランプケース装入部７ａは、鍔部７ｃの基端側（外端側）に形成された円筒形状の部位であり、ソケット装着孔６ｂに挿入した状態に配置されている。
ランプ装着部７ｂは、鍔部７ｃの先端側（集光スポット側）に形成された円筒形状の部位であり、反射鏡２１のソケット取付孔２１ａに挿入した状態に設置されている。
鍔部７ｃは、ソケット７の外周面中央部に環状に形成されたフランジ部である。
【００２２】
＜集光手段設置ケース体＞
集光手段設置ケース体５は、集光手段２を覆うように内設した円筒状の部材である。集光手段設置ケース体５の集光スポット側の開口部には、光学部材２２と反射鏡２１とが内嵌されている。集光手段設置ケース体５の外側開口端には、ハロゲンランプ１を取り付けたランプ用ケース６が内嵌されている。集光手段設置ケース体５は、アルミ合金等の金属製のものから成る。
【００２３】
＜ランプ用ケース＞
ランプ用ケース６には、リード線７１が引き出されたソケット７が装着されている。ランプ用ケース６の外側には、ハロゲンランプ１によって発生された熱を放熱するためのヒートシンク６ａが設けられている。ランプ用ケース６の基端部は、円筒状の集光手段設置ケース体５の開口端に装着されている。
【００２４】
＜制御ユニット＞
図３に示すように、制御ユニット３００は、ハロゲンランプ１を制御する制御回路８８等を備えた制御装置である。制御ユニット３００は、例えば、プラグ８１と、電源スイッチ８２と、電源ランプ８３と、電源回路８４と、スイッチ回路８５と、照射時間設定スイッチ８６と、操作パネル部８７と、制御回路８８と、照射時間表示部８９と、を制御ボックス８０に設けて成る。
【００２５】
図１及び図２に示すように、制御ボックス８０は、例えば、滅菌ユニット２００の下側に配置された直方体形状の金属製の箱体から成る。
図３に示すように、プラグ８１は、家庭用電源に接続するためのもので、制御ボックス８０から引き出された状態に配置されている。
【００２６】
電源スイッチ８２は、歯科用滅菌装置１００全体をＯＮ、ＯＦＦさせるためのスイッチであり、制御ボックス８０（図１参照）の前面に設置されている。
電源ランプ８３は、電源スイッチ８２の作動状況を点灯表示するインジケータランプであり、制御ボックス８０（図１参照）の前面に露出した状態に設置されている。
【００２７】
電源回路８４は、入力電力から必要とされる出力電力に変換して生成する電力回路である。電源回路８４は、制御ボックス８０内に設置された回路基板８０ａ（図２参照）上に設けられている。
スイッチ回路８５は、スイッチ操作された照射時間設定スイッチ８６の可動接点が接触した固定接点に応じてハロゲンランプ１を点灯させる回路である。スイッチ回路８５には、図１に示すスタートスイッチ８５ａと、ストップスイッチ８５ｂと、が設けられている。
スタートスイッチ８５ａは、電源（図示省略）からハロゲンランプ１への電力の供給をスタートさせて点灯させるためのＯＮ用スイッチである。
ストップスイッチ８５ｂは、電源（図示省略）からハロゲンランプ１への電力の供給をストップさせて消灯させるためのＯＦＦ用スイッチである。
【００２８】
図３に示すように、照射時間設定スイッチ８６は、ハロゲンランプ１を予め設定した設定時間だけ点灯させるためのスイッチである。照射時間設定スイッチ８６は、その一例を挙げると、第１照射スイッチ８６ａと、第２照射スイッチ８６ｂと、第３照射スイッチ８６ｃと、の３つのスイッチを備えて構成されている。
【００２９】
第１照射スイッチ８６ａ、第２照射スイッチ８６ｂ及び第３照射スイッチ８６ｃは、制御ボックス８０（図１参照）の前面に露出した状態に設置されている。第１照射スイッチ８６ａは、ハロゲンランプ１の点灯時間を１０秒に設定するためのハロゲンランプ点灯スイッチである。第２照射スイッチ８６ｂは、ハロゲンランプ１の点灯時間を１．０秒に設定するためのハロゲンランプ点灯スイッチである。第３照射スイッチ８６ｃは、ハロゲンランプ１の点灯時間を０．１秒に設定するためのハロゲンランプ点灯スイッチである。
【００３０】
操作パネル部８７は、例えば、被滅菌対象物４の体積、材質等に応じて変わるハロゲンランプ１の照射時間、ハロゲンランプ１の供給電力のワット数を設定する設定画面や、メッセージ等の情報を表示するタッチパネルから成る。操作パネル部８７は、制御ボックス８０（図１参照）の前面に露出した状態に設置されている。
【００３１】
制御回路８８は、被滅菌対象物４の体積、大きさ、形状、材質等の相違によって被滅菌対象物４に適合した照射時間も相違するので、種々の被滅菌対象物４に適合した照射時間がプリセットされたタイマー機能を備えている。このため、制御回路８８は、そのタイマーを使用することで、必要以上に照射を行わないように設定することが可能である。
また、制御回路８８は、被滅菌対象物４の体積、大きさ、形状、材質等によってそれぞれ適切な温度で被滅菌対象物４を照射できるように、ハロゲンランプ１に供給される電力を可変させることができる電気回路にする電力制御機能を有している。
【００３２】
照射時間表示部８９は、ハロゲンランプ１の点灯時間をデジタル表示する表示部である。換言すると、照射時間表示部８９は、ハロゲンランプ１からの赤外線を被滅菌対象物４に照射する照射時間をデジタル表示する表示部である。
【００３３】
≪作用≫
次に、図１〜図３を参照して本実施形態に係る歯科用滅菌装置１００の作用を説明する。
【００３４】
歯科用滅菌装置１００で被滅菌対象物４を滅菌する場合は、まず、図１に示すように、制御ユニット３００を歯科診療ユニットの上に載置し、その上に滅菌ユニット２００をセットする。この場合、滅菌ユニット２００の筐体３内は、熱を被滅菌対象物４に伝えるための滅菌溶液等の媒体が収納させておらず、空気が充満された中空状態になっている。このため、滅菌ユニット２００は、軽量で内部構造がシンプルであるので、小型で可搬性に優れたものにすることができる。
【００３５】
次に、電源スイッチ８２をＯＮする。続いて、第１照射スイッチ８６ａ、第２照射スイッチ８６ｂ、及び、第３照射スイッチ８６ｃで照射時間を設定して、保持部材４ｂをピンセット等で掴み、根管切削用の工具部４ａを挿入孔３ａ内に挿入する。そして、スタートスイッチ８５ａを押圧操作すると、根管切削用の工具部４ａは、ハロゲンランプ１の集光スポットの位置に配置される。
【００３６】
続いて、スタートスイッチ８５ａを押圧操作すると、電源（図示省略）からハロゲンランプ１に第１照射スイッチ８６ａ、第２照射スイッチ８６ｂ、及び、第３照射スイッチ８６ｃで設定した照射時間だけ電力が供給される。ハロゲンランプ１は、被滅菌対象物４の根管切削用の工具部４ａを照射して滅菌する。その場合、ハロゲンランプ１が点灯すると、ハロゲンランプ１から放射された赤外線は、反射鏡２１によって反射されて光学部材２２を介して集光スポットに集光されて、瞬時に根管切削用の工具部４ａを高温に加熱して滅菌を行う。
【００３７】
なお、術者が、例えば、被滅菌対象物４の体積、形状、材質に合わせて、被滅菌対象物４の滅菌時間に適合している照射時間を操作パネル部８７から選び、スタートスイッチ８５ａを押圧操作すると、照射設定時間だけハロゲンランプ１を点灯させて滅菌を行うことができる。また、照射中に滅菌を中止する場合は、ストップスイッチ８５ｂを押圧操作することで照射は中断される。
【００３８】
このように、本発明は、図１に示すように、赤外線を出す光源（ハロゲンランプ１）と、光源から発生された光を集光させるための集光手段２と、光源から発生された光を漏れないように囲む筐体３と、を備えて前記光を被滅菌対象物４（歯科用インスツルメント）に照射させることによって被滅菌対象物４の滅菌を行う歯科用滅菌装置１００であって、筐体３には、被滅菌対象物４を当該筐体３内に挿入して光に当てるための挿入孔３ａが形成されている。
【００３９】
これにより、歯科用滅菌装置１００は、筐体３の挿入孔３ａから筐体３内に被滅菌対象物４を挿入して、光源（ハロゲンランプ１）からの光を集光手段２で集光させて被滅菌対象物４に当てることによって容易に滅菌作業を行うことができる。筐体３は、光源から発生された光を漏れないように囲んで、内部が中空状に形成されて、特許文献１に記載されているような滅菌用溶液等の媒体を充填していない。このため、歯科用滅菌装置１００は、全体をシンプルな構造にして軽量化を図ることができる。その結果、歯科用滅菌装置１００は、可搬性及び携帯性に優れており、在宅訪問医療の使用される滅菌装置として適した構造をしている。
【００４０】
また、光源としてハロゲンランプ１を使用することが好ましい。
これにより、光源は、ハロゲンランプ１から成るので、発熱性、及び、光束性に優れているため、被滅菌対象物４を滅菌するのに適したランプである。
【００４１】
また、筐体３は、筒体から成り、光源（ハロゲンランプ１）は、筒体の両端部にそれぞれ設けられた二つ光源から成ることが好ましい。
これにより、光源（ハロゲンランプ１）は、筒体の両端部に設けられて対向配置されているので、それぞれの光源から放射された赤外線を１箇所の集光スポットに集光させて被滅菌対象物４を効率よく短時間で高温に加熱させることができる。
【００４２】
また、筐体３は、軸方向に延設されて両端部に開口部３ｂを有する筒体から成り、両端部の開口部３ｂには、集光手段２を内設した集光手段設置ケース体５がそれぞれ連結され、それぞれの集光手段設置ケース体５には、光源（ハロゲンランプ１）を取り付けたランプ用ケース６がそれぞれ設けられ、被滅菌対象物４（歯科用インスツルメント）は、筐体３内の内部空間３ｃで、それぞれの光源からの光によって照射されることが好ましい。
これにより、筐体３は、両端部に開口部３ｂを有する筒体から成るので、両側の開口部３ｂに、集光手段設置ケース体５及びランプ用ケース６を対向配置することができる。このため、歯科用滅菌装置１００は、全体構造をシンプル化してコストダウンを図ることができる。また、歯科用滅菌装置１００は、集光手段設置ケース体５を有していることで、集光手段２、光源（ハロゲンランプ１）及びソケット７を筐体３等に挿着することで筐体３に容易に取り付けることができるため、取付作業を簡素化することができる。
【００４３】
また、集光手段２は、光源（ハロゲンランプ１）からの発生された光を筐体３内の内部空間３ｃの中央部に集光させ、集光手段２によって集光された光源の集光スポット径Ｓは、５ｍｍ〜３０ｍｍであることが好ましい。
これにより、光源（ハロゲンランプ１）は、照射された赤外線を、集光スポット径Ｓが５ｍｍ〜３０ｍｍの範囲に集光させることができるため、筐体３の挿入孔３ａから挿入した被滅菌対象物４を適宜な範囲に加熱して滅菌することができる。また、集光スポット径Ｓは、５ｍｍ〜３０ｍｍとすることで、被滅菌対象物４（歯科用インスツルメント）の滅菌する適宜な範囲を、光源から照射された赤外線で、瞬時に被滅菌対象物４を滅菌するための温度（例えば、一般に滅菌可能といわれている２６０℃以上）に瞬時に加熱することが可能である。
【００４４】
また、図１に示すように、挿入孔３ａは、集光スポットがある位置の外周面３ｄに形成されていることが好ましい。
これにより、挿入孔３ａは、集光スポットがある位置の外周面３ｄにあることで、挿入孔３ａが被滅菌対象物４を集光スポットがある焦点位置にガイドすることができる。このため、被滅菌対象物４を容易に所定箇所に挿入させて滅菌させることができる。また、挿入孔３ａは、筐体３の外周面３ｄにあることで、挿入孔３ａから内部空間３ｃを覗き込みながら被滅菌対象物４を挿入孔３ａ内に挿入して滅菌作業を行うことができるため、滅菌作業が行い易い。
【００４５】
また、ランプ用ケース６の外側には、ヒートシンク６ａが設けられていることが好ましい。
これにより、ランプ用ケース６は、ヒートシンク６ａを有していることで、ハロゲンランプ１によって加熱された熱を放散させて冷却させることができる。
【００４６】
また、集光手段２は、金属製の反射鏡２１を有していることが好ましい。
これにより、集光手段２は、金属製の反射鏡２１から成ることによって、集光機能があるレンズと比較して、材料の薄形化と軽量化を図ることができる。
【００４７】
また、図３に示すように、光源（ハロゲンランプ１）の照射時間、または、ハロゲンランプ１に供給する電力を調整する制御回路８８（制御手段）を備えていることが好ましい。
これにより、制御回路８８は、光源（ハロゲンランプ１）の照射時間、または、供給する電力を調整することで、光源から発生される赤外線の強さや、その赤外線による滅菌時間を自由に調整することが可能となる。
【００４８】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。
次に、図４を参照して、本発明に係る歯科用滅菌装置の第１変形例を説明する。なお、既に説明した構成は同じ符号を付してその説明を省略する。
図４は、本発明の実施形態に係る歯科用滅菌装置の第１変形例を示す模式図である。
【００４９】
前記実施形態では、筐体３の左右方向にそれぞれ光源（ハロゲンランプ１）を配置した場合を説明したが、光源は、３つ以上であってもよい。図４は、光源を前後左右にそれぞれ配置した歯科用滅菌装置１００Ａの一例を示す。
【００５０】
この場合、筐体３Ａは、平面視して十字状に形成されたパイプ状の中空体から成る。筐体３Ａには、前後左右の四方に設けた光源（ハロゲンランプ１）から集光スポットに向けて光が照射されるように、４つの開口部３Ａｂにそれぞれハロゲンランプ１、集光手段２、集光手段設置ケース体５、ランプ用ケース６及びソケット７と、を配置する。十字状の筐体３Ａの上面中央部（集光スポットの上部）には、被滅菌対象物挿入用の挿入孔３Ａａを形成する。
【００５１】
このように構成すれば、左右方向の４つの光源から放射された光を１つの集光スポットに集光させることができるので、歯科用滅菌装置１００Ａの加熱能力を向上させることができる。
【００５２】
［第２変形例］
図５は、本発明の実施形態に係る歯科用滅菌装置１００Ｂの第２変形例を示す模式図である。
前記実施形態では、筐体３の左右方向にそれぞれ光源（ハロゲンランプ１）を配置した場合を説明したが（図１参照）、図５に示す歯科用滅菌装置１００Ｂのように、光源は、筐体３Ｂの左右側の一方に１つだけ配置したものであってもよい。
【００５３】
この場合は、例えば、筐体３Ｂの左側に、光源（ハロゲンランプ１）と、集光手段２と、集光手段設置ケース体５と、ランプ用ケース６と、ソケット７と、を配置し、筐体３Ｂの中央部から右側に寄った位置にハロゲンランプ１から発せられた光を集光スポットに反射する集光手段２Ｂとしての反射鏡２１Ｂ（反射部材）を設けることが好ましい。
このため、滅菌ユニット２００Ｂは、筐体３Ｂの右側にあるハロゲンランプ１と、集光手段２と、集光手段設置ケース体５と、ランプ用ケース６とが不要となる。よって、歯科用滅菌装置１００Ｂは、部品点数を削減して軽量化及び小型化を図り、搬送性を向上させることができる。
【００５４】
［その他の変形例］
また、前記実施形態では、歯科用滅菌装置１００の配置場所の一例として、歯科診療ユニットの上に載置した場合を説明したが、配置する場所は特に限定されず、設置スペースがあればどこであってもよい。歯科用滅菌装置１００は、歯科用テーブル、アシスタントテーブル、カートテーブル、汎用テーブル等の上に載置して使用してもよい。また、在宅診療の場合では、床の上や、家庭用テーブル上であってもよい。
【００５５】
また、前記実施形態、第１及び第２変形例では、筐体３，３Ａ，３Ｂの一例として、断面視して円筒状のものを例に挙げて説明したが、直方体形状のものや、断面視して多角形状のものでもよい。
【００５６】
また、前記実施形態では、歯科用滅菌装置１００の電源を家庭用電源としたが、バッテリであってもよい。また、歯科用滅菌装置１００の電源は、家庭用電源とバッテリとの両方を使用できるものであってもよい。このようにすれば、治療室以外の場所で、歯科用滅菌装置１００を使用する場合に便利である。
また、電源は、交流でも直流であってもどちらでもよい。
【００５７】
また、前記実施形態では、照射時間設定スイッチ８６の一例として、図１に示すように、３つのスイッチを備えた照射時間設定スイッチ８６を例に挙げて説明したが、そのスイッチの数、形式等は適宜変更しても構わない。このほか、照射時間設定スイッチ８６は、１つの可動動接点と、可動設点が接触する照射時間設定用の複数の固定接点と、を備えたセレクタスイッチ等の１つの回動スイッチであってもよい。
【００５８】
また、図１に示すソケット７は、ランプ用ケース６に対して軸方向に進退可能に設置してもよい。ソケット７は、軸方向に移動させて光源の位置を調整することによって、集光スポット径Ｓの大きさを調整したり、集光スポットの位置を軸方向にずらしたりすることが可能となる。
【００５９】
また、筐体３内には、被滅菌対象物４を照射する光源（ハロゲンランプ１）の赤外線の強度を弱めたり、規制したり、カットしたり、コントロールしたりするフィルターを設けてもよい。
【符号の説明】
【００６０】
１      ハロゲンランプ（光源）
２，２Ｂ  集光手段
３，３Ａ，３Ｂ  筐体
３ａ，３Ａａ，３Ｂａ  挿入孔
３ｂ，３Ａｂ，３Ｂｂ  開口部
３ｃ，３Ａｃ，３Ｂｃ  内部空間
３ｄ，３Ａｄ，３Ｂｄ    外周面
４      被滅菌対象物（歯科用インスツルメント）
５      集光手段設置ケース体
６      ランプ用ケース
６ａ    ヒートシンク
２１    反射鏡
８８    制御回路（制御手段）
１００，１００Ａ，１００Ｂ  歯科用滅菌装置
２００，２００Ａ，２００Ｂ  滅菌ユニット
３００  制御ユニット
Ｓ      集光スポット径
【図１】
2020065760.tif 000003
【図２】
2020065760.tif 000004
【図３】
2020065760.tif 000005
【図４】
2020065760.tif 000006
【図５】
2020065760.tif 000007